(57)【要約】【課題】本発明は天板と底板との間を延びる蝶番軸に収納棚を回転自在に設けた収納装置に関し、組み付け性において優れた収納装置の新規な構造を提供することを目的とする。【解決手段】回転部12A,12Bのための天板と底板との間を延びた蝶番軸24を備え、天板及び底板の対向内面に蝶番座が配置され、上下の蝶番座の間において共通蝶番軸には回転部のための蝶番の筒状部30が直接的又は補助スリーブを介した間接的端部当接構造において一連に挿入され、前記蝶番座の自由端に前記蝶番軸の上下端が取付けられる。回転部12A,12Bは平板21A, 21Bと、平板21A, 21Bに取り付けられた収納部22A, 22Bとから構成され、蝶番は筒状部と筒状部から延びるＬ状曲折部とから構成される。【選択図】  図５
2006230884.tif 000002
【特許請求の範囲】
【請求項１】
回転部のための天板と底板との間を延びた蝶番軸を備え、天板及び底板の対向内面に蝶番座が配置され、上下の蝶番座の間において前記共通蝶番軸には回転部のための蝶番の筒状部が直接的又は補助スリーブを介した間接的端部当接構造において一連に挿入され、前記蝶番座の自由端に前記蝶番軸の上下端が取付けられ、かつ前記端部当接構造はその下端が下側の蝶番座により受け止められている収納装置において、前記回転部は板状部と、板状部に取り付けられた収納部とから成り、かつ蝶番は筒状部と筒状部から延びるＬ状曲折部とから成り、前記板状部は蝶番の前記Ｌ状曲折部の屈曲面側に固定されていることを特徴とする収納装置。
【請求項２】
請求項１に記載の発明において、前記板状部は収納装置本体の前面開口の開閉扉であることを特徴とする収納装置。
【請求項３】
請求項１若しくは２に記載の発明において、前記収納部は前記板状部に対して着脱自在であることを特徴とする収納装置。
【発明の詳細な説明】
【技術分野】
【０００１】
この発明は天板と底板との間を延びる蝶番軸に収納棚を回転自在に設けた収納装置に関するものである。
【背景技術】
【０００２】
天板と底板との間を延びた蝶番軸を備え、天板及び底板の対向内面に蝶番座が配置され、上下の蝶番座の間において前記共通蝶番軸には前記回転部のための蝶番の筒状部が直接的又は補助スリーブを介した間接的端部当接構造において一連に挿入され、前記蝶番座の自由端に前記蝶番軸の上下端が取付けられ、かつ前記端部当接構造はその下端が下側の蝶番座により受け止められている収納装置は公知である（特許文献１）。
【特許文献１】特開２００４−６５２７１号公報
【発明の開示】
【発明が解決しようとする課題】
【０００３】
従来技術では蝶番は蝶番軸に嵌挿される筒状部と筒状部から延びた平板状部とから構成され、収納棚はその側面において蝶番の平板状部に固定されていた。蝶番への収納棚の取り付けは収納棚の側面であったため、蝶番に収納棚全体を組み付けた後に、収納棚本体への蝶番の組み付けを行う必要があり、作業性が良くなかった。
【０００４】
この発明は以上の問題点に鑑みてなされたものであり、組み付け性において優れた収納装置の新規な構造を提供することにある。
【課題を解決するための手段】
【０００５】
請求項１に記載の発明によれば、回転部のための天板と底板との間を延びた蝶番軸を備え、天板及び底板の対向内面に蝶番座が配置され、上下の蝶番座の間において前記共通蝶番軸には回転部のための蝶番の筒状部が直接的又は補助スリーブを介した間接的端部当接構造において一連に挿入され、前記蝶番座の自由端に前記蝶番軸の上下端が取付けられ、かつ前記端部当接構造はその下端が下側の蝶番座により受け止められている収納装置において、前記回転部は平板と、平板に取り付けられた収納部とから成り、かつ蝶番は筒状部と筒状部から延びるＬ状曲折部とから成り、前記平板は蝶番の前記Ｌ状曲折部の屈曲面側に固定されていることを特徴とする収納装置が提供される。
【０００６】
請求項１の発明の作用・効果を説明すると、蝶番は筒状部と筒状部から延びるＬ状曲折部とから構成して、前記収納部は平板と、平板に取り付けられた収納部とから構成しているため、蝶番のＬ状曲折部の内側曲折面に収納部の平板部を取り付けて蝶番を収納装置本体に組み付けた後、収納部の平板部に収納部を組み付けることができ、組み付け性を高めることができる。
【０００７】
請求項２に記載の発明によれば、請求項１に記載の発明において、前記平板は収納装置本体の前面開口の開閉扉であることを特徴とする収納装置が提供される。
【０００８】
請求項２の発明の作用・効果を説明すると、平板を収納装置本体の前面開口の開閉扉とすることにより収納装置の収納効率を確保しつつ美観上優れたものとすることができる。
【０００９】
請求項３に記載の発明によれば、請求項１若しくは２に記載の発明において、前記収納部は着脱型であることを特徴とする収納装置が提供される。
【００１０】
請求項３の発明の作用・効果を説明すると、平板への収納部の着脱を簡便に行うことができる。
【発明を実施するための最良の形態】
【００１１】
図１〜図７において、この発明の収納装置は本体１０と、右、左の回転部12A,12B（本発明の収納部）と、本体内部の固定棚１３とから構成される。本体１０は天板１４と、底板１６と、側板１８と、背板２０とを備えており、前面では開放されており、この開放部が回転部12A,12Bにより開閉される。
【００１２】
回転部12A,12Bは平板状の扉部21A, 21Bとその裏面側に配置された収納棚22A, 22Bを備えており、回転部12A,12Bの閉鎖時は収納棚22A, 22Bは本体１０内に隠れているが、図１に示すように回転部12A,12B（図１では右側の回転扉１２Ａが１８０度近く開かれた状態が図示されている）を開くことにより収納棚22A, 22Bにアクセス可能となる。
【００１３】
回転部12A,12Bを回転せしめる蝶番軸２４は両側板１８の中間を本体１０の前面において天板１４と底板１６との間を延び、蝶番軸２４の上下両端は後述のように天板１４と底板１６に取付けられる。図１において右側の回転扉１２Ａに上、中、下と３個の蝶番２６Ａが取り付けられた状態が図示される。左側の回転扉１２Ｂについても上、中、下と３個の蝶番２６Ｂが同様に取り付けられる。蝶番26A, 26Bはアルミニュームなどの軽量金属の押出成形品であり、図６に示すように、筒状部３０と筒状部３０から一体に延びる断面Ｌ状部３１とから構成される。蝶番26A, 26Bの断面Ｌ状部３１における内側の曲折面に回転部12A,12Bにおける平板状の扉部21A, 21Bが図示しないビスなどの周知の手段（図６にはビス孔のみ示される）により固定されており、蝶番により回転部12A,12Bを閉鎖方向（図５の矢印Ａと反対方向）に回動させた場合に、平板状の扉部21A, 21Bはその端部２１´において収納装置本体の前面開口端（側壁１８の端面１８´）に当接し、収納装置本体をその前面開口において閉鎖することがてきる。
【００１４】
回転部12A,12Bの蝶番26A, 26Bの筒状部は蝶番軸２４に一連に挿入される。図１においては、左側の回転扉１２Ｂの最下部の蝶番２６Ｂの筒状部３０、次いで、右側の回転扉１２Ａの最下部の蝶番２６Ａの筒状部３０、次いで、蝶番26A, 26Bの筒状部３０と同一内外径の補助スリーブ３２、左側の回転扉１２Ｂのの中間部の蝶番２６Ｂの筒状部、次いで、右側の回転扉１２Ａの中間部の蝶番２６Aの筒状部３０、次いで、再び補助スリーブ３２、そして、左側の回転扉１２Ｂの最上部の蝶番２６Ｂの筒状部３０、最後に、右側の回転扉１２Ａの最上部の蝶番２６Ａの筒状部３０が挿入される。蝶番軸２４へ一連に挿入される筒状部３０及び補助スリーブ３２は図３に示すように隣接端面が相互に当接されるようにされ、この端部当接構造は天板１４と底板１６との間を延び、擬似的に１本のパイプをなし、以下説明する蝶番軸２４の上下端の取付け構造とも相俟って蝶番構造の高い剛性が得られる。即ち、図３において、天板１４及び底板１６に蝶番取付座36, 38が固定される。蝶番取付座36, 38を固定するためのビス４０は蝶番取付座36, 38に木ネジ式の埋め込み構造の金属内ねじスリーブ（鬼目とも称される）４４にねじ込まれる構造となっている。また、蝶番軸２４の上下の端部24-1, 24-2は外ねじを形成しており、この外ねじ部分24-1, 24-2に上下の蝶番取付座36, 38がねじ孔36-2, 38-2 を介して螺合取付けされる構造となっている。
【００１５】
筒状部30A, 30B及び補助スリーブ３２からなる一連の端部当接構造は樹脂製の無給油型ワッシャ４２（例えばオイレス工業株式会社製のオイレスタイプの♯８０若しくは♯８３ワッシャ）を介して下側の蝶番取付座３８上に載置される。それぞれの蝶番26A, 26Bの筒状部30A', 30B'及び補助スリーブ３２の当接面にもワッシャ４２が介在される。擬似的な１本のパイプを構成するように天板１４と底板１６との間を延びる、筒状部30A, 30B及び補助スリーブ３２からなる一連の端部当接構造は、上下両端を天板１４及び底板１６に固定される金属製蝶番取付座36, 38に固定された蝶番軸２４に挿通され、かつ筒状部30A, 30B及び補助スリーブ３２からなる一連の端部当接構造を下端で樹脂製の無給油型ワッシャ４２で蝶番取付座３８で受けることと相俟って、極めて剛性の高い蝶番機構を構成し、回転部12A,12Bの背面の棚部12A, 12Bに載置される物品の重量に係らず、回転部12A,12Bの長期にわたる安定動作を補償しうる。尚、鬼目４４を挿通せしめる蝶番取付座36, 38の開口36A, 36Bの内外側の開口３６Ｂは図６に示すように一端が開口したスロット状をなしており、これにより、回転部12A,12Bに背面側の収納部22A, 22Bを取付けかつ蝶番26A, 26Bを取付けた半組立体を取付座36, 38と共に本体１０に取付けることができ、本発明の収納棚の組立効率を著しく高めることができる。
【００１６】
図５に示すように金属製蝶番取付座36, 38は天板１４、底板１６の前面14-1, 16-1から幾分前方に突出しており、そのため、蝶番取付座36, 38から突出した蝶番軸２４の上下端24-1, 24-2は天板１４、底板１６の前方に位置している。即ち、図１及び図９に示すように、回転部12A,12Bは天板１４、底板１６と上下面一となるように上下に延設されている。そして、蝶番取付座36, 38から突出した蝶番軸２４の上下端24-1, 24-2にキャップ５９が嵌着される。即ち、キャップ５９は開口５９Ａを備え、キャップ５９は開口５９Ａによって蝶番軸２４の上下端24-1, 24-2に挿入される。キャップ５９は回転部12A,12Bの閉鎖状態で回転部12A,12Bの対向端に形成される隙間に丁度は挿入される幅（この幅は蝶番の筒状部30A, 30B及び補助スリーブ３２の直径に等しい）を有し、また高さは蝶番取付座36, 38から天板１４、底板１６の上面、底面までの距離に等しくなっている。そのため、回転部12A,12Bの閉鎖時に回転部12A,12Bの隙間をキャップ５９により埋めることができる。そのため、図９に示すように回転部12A,12Bの閉鎖状態において天板１４、底板１６を回転部12A,12Bにより完全に遮蔽することができる。即ち、回転部12A,12Bの閉鎖状態では天板１４、底板１６は外から視認することができず、作りつけの収納棚とした場合に回転部12A,12Bを床から天井まで隙間なく延びる壁面様の外観を呈せしめることができる。そして、中間には蝶番を構成する筒状部30A, 30B及び補助スリーブ３２及びキャップ５９は見えているがこれらは同一径でかつ同一素材（アルミニューム製）であるため下から上まで延びる１本のパイプの外観を呈しているためすっきりした外観を呈することができる。
【００１７】
尚、キャップ５９を設ける代わりに、天板１４及び底板１６の端面14-1を前方に突出させる構造とすることができる。この場合、蝶番軸２４の上下端は蝶番取付座36, 38と面一とされる。この構造でも扉21A, 21Bによる家具本体の前面開口の開閉は可能である。
【００１８】
この発明では回転部12A,12Bは平板状の扉部21A, 21Bとその裏面側に配置された収納棚22A, 22Bとから構成し、蝶番26A, 26Bは図５及び図６に示すように筒状部３０と断面Ｌ状片３１とから構成し、平板状の扉部21A, 21Bを断面Ｌ状片３１に内側曲折面側で固定している。そのため、蝶番と扉部21A, 21B（本発明の収納部）との組立体を収納装置本体に組み付けた状態で扉部21A, 21Bへの収納棚22A, 22Bの固定（組み付け）により回転部12A,12Bとして完成させることができる。即ち、収納装置本体への蝶番組立体の組み付け時に収納棚22A, 22Bを外しておくことができるため作業が楽となり、しかも、収納棚22A, 22Bの組み付けは平板状の扉部21A, 21Bに対するものであるため、その構造は単純であり、組み立て作業も容易である。収納棚22A, 22Bの、扉部21A, 21Bに対する取り付け手段は収納棚22A, 22Bを扉部21A, 21Bにビス留めするような通常の固定手段６０（図５参照）を採用してもよいし、又は、周知の懸架式の取り付け手段でもよい。図７及び図８はこのような懸架式の取り付け手段の一例を示しており、収納棚22A, 22Bの裏面に掛装金具６２を設け、他方、扉部21A, 21Bには係止ビス６４を鬼目６６にてねじ込み固定する。掛装金具６２は懸架孔６８を形成し、懸架孔６８の下部は係止ビス６４をフリーに挿通しえる径であるが、この大径部から幅が狭まった上部は係止ビス６４の頭部は挿通させないが、係止ビス６４のねじ部よりは多少幅広である。そのため、掛装金具６２を頭部において掛装金具６２の内部の空洞に導入するだけで、掛装金具６２を係止ビス６４に係止させ、収納棚22A, 22Bを扉部21A, 21Bの裏面に懸架装着することができる。平板状の扉部21A, 21Bの裏面に対する収納棚22A, 22Bの装着は公知のいかなる方式を採用することも可能であり、例えば、特開平11-71844や特開2002-364103に開示されたように、平板状の扉部21A, 21Bに袋状の凹部を有する金属部材を固定し、この上向き袋状の凹部に棚板の相補的形状の端部を挿入することで、棚板を平板に固定し、収納部とする構造のものも採用することができる。その他、棚板の如き収納部を恒久的若しくは着脱可能に装着する任意の構造を採用することができ、これらも本発明の技術的範囲に包含されるものであることはいうまでもない。
【図面の簡単な説明】
【００１９】
【図１】図１はこの発明の収納家具の斜視図である。
【図２】図２は図１の収納家具の部分的正面図である。
【図３】図３は図１の実施形態の収納家具において蝶番軸の直立断面図を示し、蝶番軸の上下端の蝶番取付座による回転支持構造を示している。
【図４】図４は蝶番取付座の平面図（図３のIX−IX線に沿う矢視図）である。
【図５】図５は図１の実施形態の収納家具において蝶番軸の直立断面図（図３のＸ−Ｘ線に沿う矢視図）を示し、蝶番軸の上下端の蝶番取付座による回転支持構造を示している。
【図６】図６の図１の蝶番機構における蝶番の斜視図である。
【図７】図７は扉を構成する平板裏面に対する棚板の取付構造の一例を示す断面図である。
【図８】図８は図７のXIII−XIII線に沿う矢視図である。
【符号の説明】
【００２０】
１０...本体
12A,12B…回転部
１３…固定棚
21A, 21B…扉部
22A, 22B...収納棚
２４...蝶番軸
26A, 26B...蝶番
２８...木ねじ
３０...筒状部
３２...補助スリーブ
36, 38...蝶番取付座
４２...ワッシャ
４４...ねじスリーブ（鬼目）
【図１】
2006230884.tif 000003
【図２】
2006230884.tif 000004
【図３】
2006230884.tif 000005
【図４】
2006230884.tif 000006
【図５】
2006230884.tif 000007
【図６】
2006230884.tif 000008
【図７】
2006230884.tif 000009
【図８】
2006230884.tif 000010